(57)【要約】【課題】中間転写体から記録媒体へトナー像が転写される二次転写部において、記録媒体が中間転写体に貼り付くのを抑制できる画像形成装置の提供を課題とする。【解決手段】入力された画像データに基づくトナー像を中間転写体２４に転写する画像形成手段１２と、記録媒体Ｐを搬送する搬送手段４２と、搬送手段４２によって搬送された記録媒体Ｐに中間転写体２４に転写されたトナー像を転写する転写手段３６と、転写手段３６によって記録媒体Ｐに転写されたトナー像を定着させる定着手段４０と、を備えた画像形成装置１０において、定着手段４０による定着後に透明となる透明トナーＬｔを転写する画像形成ユニット１４Ｌを画像形成手段１２に設け、透明トナーＬｔを、少なくとも記録媒体Ｐの搬送方向最先端部６０から、その一部がはみ出るように転写する。【選択図】図４
2008310038.tif 000002
【特許請求の範囲】
【請求項１】
入力された画像データに基づくトナー像を中間転写体に転写する画像形成手段と、
記録媒体を搬送する搬送手段と、
前記搬送手段によって搬送された前記記録媒体に前記中間転写体に転写されたトナー像を転写する転写手段と、
前記転写手段によって前記記録媒体に転写されたトナー像を定着させる定着手段と、
を備え、
前記画像形成手段は、前記定着手段による定着後に透明となる透明トナーを転写する画像形成ユニットを有し、該透明トナーは、少なくとも前記記録媒体の搬送方向最先端部から、その一部がはみ出るように転写されることを特徴とする画像形成装置。
【請求項２】
前記記録媒体の種類に応じて前記透明トナーの転写量を調整する調整手段を有することを特徴とする請求項１に記載の画像形成装置。
【発明の詳細な説明】
【技術分野】
【０００１】
本発明は、中間転写方式を採用するプリンター、複写機等の画像形成装置に関する。
【背景技術】
【０００２】
従来、中間転写ベルトを用いた画像形成装置に、坪量の小さい記録用紙を使用した場合には、中間転写ベルトから記録用紙へトナー像を転写する二次転写部において、その記録用紙が中間転写ベルトへ貼り付いてしまうことがあった。そのため、二次転写後に、その記録用紙を定着装置へ搬送することが困難になる問題があった。
【０００３】
一方、これに類似した問題は、その定着装置でも発生していた。例えば、坪量の小さい記録用紙が、それに転写されたトナーの融解による粘性により、定着装置のロールに巻き付くことがあった。この問題は、記録用紙のトナー像が転写される表面に、発泡トナー又は透明トナーを転写することで解決できることが従来に提案された（例えば、特許文献１参照）。すなわち、発泡トナー又は透明トナーが転写された部位と転写されない部位とでは、記録用紙の厚みに差が生じるので、それによって、ロールへの巻き付きを防止することができた。
【特許文献１】特開２００６−２１５２０５号公報
【発明の開示】
【発明が解決しようとする課題】
【０００４】
しかしながら、坪量の小さい記録用紙に対して、この従来技術を採用しても、二次転写部において、その記録用紙が中間転写ベルトに貼り付き、記録用紙を定着装置へ搬送することが困難になる問題を解決することができなかった。つまり、特許文献１に記載されている従来技術は、二次転写後に定着装置へ搬送された記録用紙が、その定着装置のロールに巻き付くことを防止する技術であり、二次転写部から定着装置へ問題無く搬送される記録用紙に対してのみ効果がある。
【０００５】
ここで、特許文献１に記載されている従来技術を採用しても、二次転写部における記録用紙の貼り付きを防止することができなかった理由としては、定着装置での用紙剥離と二次転写部での用紙剥離に違いがあるためと考えられる。すなわち、定着装置では、記録用紙に転写されたトナーの融解により、そのトナーの粘性が増し、ロールに巻き付いてしまう。このような場合は、特許文献１のように、融解したトナーとロールとの間に空気層を作ることで、記録用紙の巻き付きを回避することができる。
【０００６】
しかしながら、二次転写部では、記録用紙は転写電圧の影響により大きく帯電しており、中間転写ベルトに対して静電気的に貼り付いている。二次転写後の記録用紙は、ほぼ面内全域で帯電しており、例えば特許文献１に記載されているように、記録用紙の先端部から数ｍｍ内側（搬送方向上流側）において空気層を作ったとしても、記録用紙は中間転写ベルトから剥がれやすくならない。
【０００７】
そこで、本発明は、上記事情に鑑み、中間転写体から記録媒体へトナー像が転写される二次転写部において、記録媒体が中間転写体に貼り付くのを抑制できる画像形成装置を得ることを目的とする。
【課題を解決するための手段】
【０００８】
上記の目的を達成するために、本発明に係る請求項１に記載の画像形成装置は、入力された画像データに基づくトナー像を中間転写体に転写する画像形成手段と、記録媒体を搬送する搬送手段と、前記搬送手段によって搬送された前記記録媒体に前記中間転写体に転写されたトナー像を転写する転写手段と、前記転写手段によって前記記録媒体に転写されたトナー像を定着させる定着手段と、を備え、前記画像形成手段が、前記定着手段による定着後に透明となる透明トナーを転写する画像形成ユニットを有し、該透明トナーが、少なくとも前記記録媒体の搬送方向最先端部から、その一部がはみ出るように転写されることを特徴としている。
【０００９】
請求項１に記載の発明によれば、透明トナーを記録媒体の搬送方向最先端部から、その一部がはみ出るように転写したので、記録媒体の最先端部の静電気力を、その透明トナーによって低減することができる。よって、中間転写体から記録媒体へトナー像が転写される二次転写部において、記録媒体の最先端部が中間転写体から剥がれやすくなり、記録媒体が中間転写体に貼り付くのを抑制することができる。なお、ここで言う「最先端部」とは、中間転写体と接触する記録媒体の表面において、最も搬送方向側の部位を意味する。つまり、記録媒体の搬送方向側におけるエッジ部分を含めた最先端領域を指す。
【００１０】
また、請求項２に記載の画像形成装置は、請求項１に記載の画像形成装置において、前記記録媒体の種類に応じて前記透明トナーの転写量を調整する調整手段を有することを特徴としている。
【００１１】
請求項２に記載の発明によれば、記録媒体の種類に応じて透明トナーの転写量が調整されるので、記録媒体に対し、常に適切な転写量にて透明トナーを使用することができる。よって、透明トナーの無駄な消費量を低減することができる。なお、ここで言う透明トナーの「転写量」には、透明トナーの量（単位面積当たりの質量）の他に、記録媒体に所定の間隔を空けて転写する場合の転写数やそれによる転写位置（転写間隔）なども含まれる。また、ここで言う記録媒体の「種類」には、記録媒体のサイズの他に、記録媒体を記録用紙としたときの坪量や、いわゆる普通紙、コート紙等の用紙の種類なども含まれる。
【発明の効果】
【００１２】
以上のように、本発明によれば、中間転写体から記録媒体へトナー像が転写される二次転写部において、記録媒体が中間転写体に貼り付くのを抑制できる画像形成装置を提供することができる。
【発明を実施するための最良の形態】
【００１３】
以下、本発明の最良な実施の形態について、図面に示す実施例を基に詳細に説明する。なお、記録媒体は記録用紙Ｐとし、透明トナーをクリアトナーと言う。また、各色毎に共通する部位については、符号の後に各色を示す英字を付して説明する。図１は本実施形態に係る画像形成装置を示す概略構成図であり、図２は記録用紙に対するクリアトナーの転写位置を模式的に示す概略平面図である。また、図３は二次転写部に搬送された記録用紙の様子を示す概略側面図であり、図４は二次転写部に搬送された記録用紙の最先端部の様子を模式的に示す概略側面図である。
【００１４】
まず、本実施形態に係る画像形成装置１０の構成について簡単に説明する。図１で示すように、この画像形成装置１０は、入力された画像データに基づく各色のトナー像を、後述する無端ベルト状の中間転写ベルト２４に転写し、フルカラーの画像を形成する５連タンデム方式の画像形成手段１２を有している。
【００１５】
画像形成手段１２は、記録用紙Ｐの搬送方向上流側から順にクリア（Ｌ）、イエロー（Ｙ）、マゼンタ（Ｍ）、シアン（Ｃ）、ブラック（Ｋ）の各色の画像を出力する電子写真方式の画像形成ユニット１４Ｌ、１４Ｙ、１４Ｍ、１４Ｃ、１４Ｋを有しており、各画像形成ユニット１４Ｌ〜１４Ｋは、中間転写ベルト２４の移動方向（矢印Ｂで示す）に沿って、互いに所定距離離隔して並設されている。
【００１６】
各画像形成ユニット１４Ｌ〜１４Ｋは、像保持体としての感光体ドラム１６Ｌ〜１６Ｋを有しており、この感光体ドラム１６Ｌ〜１６Ｋは、導電性の金属製円筒体の表面（周面）に、有機光導電体等からなる感光層が積層されて構成され、図示の矢印Ａ方向（時計回り方向）へ所定のプロセススピードで回転駆動するようになっている。
【００１７】
なお、この感光層は、電荷発生層と電荷輸送層が順次積層された機能分離型であり、通常は高抵抗であるが、レーザー光線が照射されると、レーザー光線が照射された部分の比抵抗が変化する性質を有している。また、各感光体ドラム１６Ｌ〜１６Ｋの直径は、２０ｍｍ〜１００ｍｍの範囲とされることが好ましい。
【００１８】
各感光体ドラム１６Ｌ〜１６Ｋの周囲には、その回転方向上流側から順に、感光体ドラム１６の表面（周面）を所定の電位に一様に帯電する帯電装置としての帯電器１８Ｌ〜１８Ｋと、一様に帯電された感光体ドラム１６Ｌ〜１６Ｋの表面（周面）に、色分解された画像データ（画像信号）に基づくレーザー光線（像光）を照射し、露光によって静電潜像を形成する露光装置２０Ｌ〜２０Ｋと、帯電したトナー（現像剤）を静電潜像に転移させて（現像して）トナー像とする現像装置２２Ｌ〜２２Ｋと、感光体ドラム１６Ｌ〜１６Ｋに接触する経路で周回可能に張架された無端ベルト状の中間転写ベルト２４と、感光体ドラム１６Ｌ〜１６Ｋ上に形成されたトナー像を中間転写ベルト２４へ転写する一次転写ロール２６Ｌ〜２６Ｋと、一次転写後に感光体ドラム１６Ｌ〜１６Ｋの表面に残留した転写残トナーを除去するクリーニング装置２８Ｌ〜２８Ｋと、が配置されている。
【００１９】
各クリーニング装置２８Ｌ〜２８Ｋには、感光体ドラム１６Ｌ〜１６Ｋの表面（周面）に圧接し、感光体ドラム１６Ｌ〜１６Ｋの回転方向（矢印Ａ方向）と反対方向に回転駆動して、感光体ドラム１６Ｌ〜１６Ｋから転写残トナーを擦り取るブラシロール２９Ｌ〜２９Ｋが設けられている。
【００２０】
また、各一次転写ロール２６Ｌ〜２６Ｋは、中間転写ベルト２４の内側に配置され、各感光体ドラム１６Ｌ〜１６Ｋにそれぞれ対向した位置に設けられている。そして、一次転写ロール２６Ｌ〜２６Ｋによる感光体ドラム１６Ｌ〜１６Ｋと中間転写ベルト２４との接触部が一次転写部（一次転写位置）Ｔ１とされている。
【００２１】
また、各一次転写ロール２６Ｌ〜２６Ｋには、一次転写バイアスを印加するバイアス電源（図示省略）がそれぞれ接続されている。更に、各バイアス電源は、制御手段としての制御部３０に制御されて、各一次転写ロール２６Ｌ〜２６Ｋに印加する一次転写バイアスが変更可能になっている。また、図示の帯電器１８Ｌ〜１８Ｋは、ロール形状の接触帯電器とされているが、スコロトロンや固体放電器等の非接触帯電器を用いることも可能である。
【００２２】
一方、中間転写体としての中間転写ベルト２４は、一次転写ロール２６Ｌ〜２６Ｋと、図示しない駆動源により回転駆動される駆動ロール３２と、中間転写ベルト２４の張力を調整するテンションロール３３と、後述する二次転写部（二次転写位置）Ｔ２に配置されたバックアップロール３４と、従動ロール３５と、に巻き掛けられており、感光体ドラム１６の回転に同期して矢印Ｂ方向に回転移動（周動）するようになっている。
【００２３】
なお、この中間転写ベルト２４は、例えば、ポリイミド、ポリアミドイミド、ポリカーボネート、フッ素系樹脂などの樹脂材料に、カーボンやイオン導電物質などの導電性付与のための物質を分散させ、表面抵抗率を１０１０Ω／□〜１０１２Ω／□程度（測定電圧：１００Ｖ）に調整して形成されている。
【００２４】
また、中間転写ベルト２４を挟んでバックアップロール３４と対向する位置には、後述する搬送手段としての搬送機構４２によって搬送される記録用紙Ｐ上に、中間転写ベルト２４上のトナー像を転写する転写手段としての二次転写ロール３６が設けられている。この二次転写ロール３６には、後述する第１搬送ベルト５０が巻き掛けられており、この第１搬送ベルト５０を介して二次転写ロール３６と中間転写ベルト２４との接触部が二次転写部（二次転写位置）Ｔ２とされている。
【００２５】
また、この画像形成装置１０は、二次転写ロール３６によって記録用紙Ｐ上にトナー像を転写した後に、中間転写ベルト２４上に残留する転写残トナーを除去するトナー除去装置３８と、二次転写ロール３６によって記録用紙Ｐ上に転写されたトナー像を定着する定着手段としての定着装置４０と、を備えている。
【００２６】
搬送機構４２は、用紙トレイ４４に収容された記録用紙Ｐを１枚ずつ搬送するピックアップロール４６と、記録用紙Ｐの搬送経路に複数（図示のものは４個）設けられた一対の搬送ロール４７と、二次転写部（二次転写位置）Ｔ２へ記録用紙Ｐを供給するためのガイド部材４８と、二次転写ロール３６とガイドロール５２とに巻き掛けられた第１搬送ベルト５０と、第１搬送ベルト５０よりも記録用紙Ｐの搬送経路の下流側に配置され、ガイドロール５４、５６に巻き掛けられた第２搬送ベルト５８と、定着装置４０の下流側に設けられた排紙トレイ（図示省略）等から構成されている。
【００２７】
この搬送機構４２により、用紙トレイ４４に収容された記録用紙Ｐが、二次転写ロール３６（第１搬送ベルト５０）とバックアップロール３４とが中間転写ベルト２４を挟んで対向する二次転写部（二次転写位置）Ｔ２へ搬送され、二次転写部（二次転写位置）Ｔ２から定着装置４０へ搬送され、定着装置４０から排紙トレイへ搬送される構成である。
【００２８】
以上のような構成の画像形成装置１０は、次のように動作してフルカラーの画像を形成する。なお、各色の画像形成ユニット１４Ｌ〜１４Ｋは、略同一の構成を有しているため、ここでは画像形成ユニット１４Ｙにより、イエロートナー像を形成する動作について説明する。また、イエロートナー像を中間転写ベルト２４に転写する前に、既に画像形成ユニット１４Ｌにより、クリアトナー像が中間転写ベルト２４に転写されている。
【００２９】
まず、帯電器１８Ｙによって感光体ドラム１６Ｙの表面が−６００Ｖ〜−８００Ｖ程度の電位に一様に帯電される。一様に帯電された感光体ドラム１６Ｙの表面には、制御部３０から送られて来るイエロー用の画像データに従って、露光装置２０Ｙによりレーザー光線が照射される。すなわち、感光体ドラム１６Ｙの感光層にイエロー印字パターンの静電潜像が形成される。
【００３０】
なお、静電潜像とは、帯電により感光体ドラム１６Ｙの表面（感光層）に形成される像であり、感光層において、レーザー光線が照射された部分の比抵抗が低下し、感光体ドラム１６Ｙの表面に帯電した電荷が流れる一方、レーザー光線が照射されなかった部分の電荷が残留することによって形成される、いわゆるネガ潜像である。
【００３１】
こうして、感光体ドラム１６Ｙ上に形成された静電潜像は、感光体ドラム１６Ｙの回転により所定の現像位置まで搬送される。そして、この現像位置で、感光体ドラム１６Ｙ上の静電潜像が、現像装置２２Ｙによって可視像（トナー像）化される。現像装置２２Ｙ内には、例えば、少なくともイエロー着色剤と結着樹脂とを含む体積平均粒子径が３μｍ〜６μｍの範囲のイエロートナーが収容されている。
【００３２】
イエロートナーは、現像装置２２Ｙの内部で撹拌されることで摩擦帯電し、感光体ドラム１６Ｙの表面の帯電荷と同極性（−）の電荷を有している。したがって、感光体ドラム１６Ｙの表面が現像装置２２Ｙを通過して行くことにより、感光体ドラム１６Ｙの表面の除電された潜像部にのみイエロートナーが静電的に付着し、潜像がイエロートナーによって現像される。その後、感光体ドラム１６Ｙは、引き続き回転し、その表面に現像されたトナー像が、一次転写部（一次転写位置）Ｔ１へ搬送される。
【００３３】
感光体ドラム１６Ｙの表面のイエロートナー像が一次転写部（一次転写位置）Ｔ１へ搬送されると、一次転写ロール２６Ｙに所定の一次転写バイアスが印加され、感光体ドラム１６Ｙから一次転写ロール２６Ｙに向かう静電気力がトナー像に作用し、感光体ドラム１６Ｙの表面のトナー像が中間転写ベルト２４の表面に転写される。このとき印加される一次転写バイアスは、トナーの極性（−）と逆の極性（＋）であり、例えば、画像形成ユニット１４Ｙでは、制御部３０によって＋２０μＡ〜＋３０μＡ程度に定電流制御されている。
【００３４】
感光体ドラム１６Ｙの表面の転写残トナーは、クリーニング装置２８Ｙによりクリーニングされる。また、画像形成ユニット１４Ｌ、１４Ｍ〜１４Ｋの一次転写ロール２６Ｌ、２６Ｍ〜２６Ｋに印加される一次転写バイアスも上記と同様に制御されている。こうして、画像形成ユニット１４Ｙにてイエロートナー像が転写された中間転写ベルト２４は、残りの色の画像形成ユニット１４Ｍ〜１４Ｋへ順次搬送され、各色のトナー像が重ねられるようにして転写される（多重転写される）。
【００３５】
各画像形成ユニット１４Ｌ〜１４Ｋを通過して全ての色のトナー像が多重転写された中間転写ベルト２４は、図示の矢印Ｂ方向に周動搬送され、中間転写ベルト２４の内面（裏面）に接するバックアップロール３４と、中間転写ベルト２４の像保持面側に配置された二次転写ロール３６（第１搬送ベルト５０）とで構成された二次転写部（二次転写位置）Ｔ２へ至る。
【００３６】
一方、記録用紙Ｐが、搬送機構４２によって二次転写ロール３６（第１搬送ベルト５０）と中間転写ベルト２４との間に所定のタイミングで給紙され、所定の二次転写バイアスが二次転写ロール３６に印加される。このとき印加される二次転写バイアスは、トナーの極性（−）と逆の極性（＋）であり、中間転写ベルト２４から記録用紙Ｐに向かう静電気力がトナー像に作用し、中間転写ベルト２４の表面のトナー像が記録用紙Ｐの表面に転写される。
【００３７】
また、このときの二次転写バイアスは、二次転写部（二次転写位置）Ｔ２の抵抗を検出する抵抗検出手段（図示省略）により検出された抵抗に応じて決定され、定電圧で制御されている。その後、記録用紙Ｐは定着装置４０へと送り込まれ、トナー像が加熱・加圧され、色重ねされた（多重転写された）トナー像が溶融されて、記録用紙Ｐの表面へ永久定着される。こうして、フルカラー画像の定着が完了した記録用紙Ｐは、排紙トレイへ向けて搬出され、一連のフルカラー画像形成動作が終了する。
【００３８】
以上のような画像形成装置１０において、図２で示すように、クリアトナーＬｔは、画像形成に使用される以外に、記録用紙Ｐの搬送方向最先端部６０から、その一部がはみ出るように転写される。ここで、記録用紙Ｐの搬送方向最先端部６０とは、中間転写ベルト２４と接触する記録用紙Ｐの表面において、最も搬送方向側の部位を意味する。つまり、記録用紙Ｐの搬送方向側におけるエッジ部６２を含めた最先端領域を指す。したがって、クリアトナーＬｔは、通常記録用紙Ｐの最先端部６０から最先端面６４まで達するように転写される（図４参照）。
【００３９】
このように、記録用紙Ｐの最先端部６０から最先端面６４に掛けて（エッジ部６２を含んで）クリアトナーＬｔが転写されると、記録用紙Ｐの最先端部６０における静電気力を低減することが可能となるので、中間転写ベルト２４から記録用紙Ｐへトナー像が転写される二次転写部（二次転写位置）Ｔ２において、記録用紙Ｐの最先端部６０が中間転写ベルト２４から剥がれやすくなり、二次転写後の記録用紙Ｐが中間転写ベルト２４に貼り付いてしまうような不具合の発生を抑制することができる。
【００４０】
つまり、図３で示すように、搬送機構４２により、二次転写部（二次転写位置）Ｔ２へ給紙され、中間転写ベルト２４に一次転写されていたトナー像が、バックアップロール３４と二次転写ロール３６により、二次転写された記録用紙Ｐは、中間転写ベルト２４に貼り付くことなく、定着装置４０へ搬送される。
【００４１】
なお、このクリアトナーＬｔは、定着装置４０によって記録用紙Ｐに定着された後に、透明となる性質を有している。また、クリアトナーＬｔを転写する画像形成ユニット１４Ｌは、記録用紙Ｐの搬送方向最先端部６０のみに転写するために設けられる構成になっていてもよい。つまり、クリアトナーＬｔは、少なくとも記録用紙Ｐの搬送方向最先端部６０から、その一部がはみ出るように転写されるのに使用されればよい。
【００４２】
ここで更に、坪量の異なるＡ４サイズの記録用紙Ｐ（普通紙）を使用して画像形成を行ったときの二次転写部Ｔ２における貼り付き抑制の評価試験について説明する。なお、比較例として、図５で示すように、記録用紙Ｐの搬送方向最先端部６０（エッジ部６２）から所定距離Ｗ（例えば、Ｗ＝１ｃｍ）内側（搬送方向上流側）に、１ｃｍ×１ｃｍのサイズで４ｇ／ｍ２の転写量とされたクリアトナーＬｔのパッチを、転写数を変えて（それにより記録用紙Ｐの搬送方向と直交する幅方向に転写間隔（転写位置）を変えて）転写したものを３パターン用意した。つまり、図５（Ａ）では２個、図５（Ｂ）では３個、図５（Ｃ）では５個の転写数である。
【００４３】
そして、各パターンの記録用紙Ｐに画像形成する際の二次転写部Ｔ２において、中間転写ベルト２４への貼り付きの有無を調査し、二次転写部Ｔ２における用紙搬送性の評価を、坪量の異なる記録用紙Ｐ毎に実施した。その結果を表１に示す。なお、参考として、クリアトナーＬｔを転写しない記録用紙Ｐを使用した場合の結果も表１に示す。この表１の結果から判るように、記録用紙ＰにクリアトナーＬｔを転写しない場合と、図５の（Ａ）〜（Ｃ）で示すような位置にクリアトナーＬｔを転写した場合では、坪量が６０ｇｓｍ以下の記録用紙Ｐを搬送することは困難であった。
【００４４】
【表１】
2008310038.tif 000003
【００４５】
次に、記録用紙Ｐの最先端部６０にクリアトナーＬｔを転写した本実施例について説明する。図２で示すように、記録用紙Ｐの搬送方向最先端部６０（エッジ部６２）から所定距離Ｄ（例えば、Ｄ＝約３ｍｍ程度）、その搬送方向にはみ出すように、１ｃｍ×１ｃｍのサイズで４ｇ／ｍ２の転写量とされたクリアトナーＬｔのパッチを、転写数を変えて（それにより記録用紙Ｐの搬送方向と直交する幅方向に転写間隔（転写位置）を変えて）転写したものを３パターン用意した。つまり、図２（Ａ）では２個、図２（Ｂ）では３個、図２（Ｃ）では５個の転写数である。
【００４６】
そして、各パターンの記録用紙Ｐに画像形成する際の二次転写部Ｔ２において、中間転写ベルト２４への貼り付きの有無を調査し、二次転写部Ｔ２における用紙搬送性の評価を、坪量の異なる記録用紙Ｐ毎に実施した。その結果を表２に示す。なお、所定距離Ｄとして、約３ｍｍ程度、記録用紙Ｐの最先端部６０からはみ出してクリアトナーＬｔを転写した理由は、記録用紙Ｐの最先端部６０を狙ってクリアトナーＬｔを形成するためであって、特に３ｍｍに限定されるものではない。つまり、所定距離Ｄは、３ｍｍ以上でも良いし、３ｍｍ未満でも構わない。
【００４７】
但し、記録用紙Ｐの最先端部６０ぎりぎりに（最先端部６０からはみ出ないように）クリアトナーＬｔを転写すると、画像の位置ズレやスキューによって、記録用紙Ｐの位置がずれた際に、記録用紙Ｐの最先端部６０にクリアトナーＬｔを転写できない場合がある。また、逆に多めにはみ出してクリアトナーＬｔを転写すると、記録用紙Ｐの最先端部６０にクリアトナーＬｔを転写することは可能となるが、クリアトナーＬｔの無駄な消費量が増えてしまうため、好ましくない。したがって、クリアトナーＬｔは、記録用紙Ｐの最先端部６０（エッジ部６２）から、所定距離Ｄ＝約３ｍｍ程度、搬送方向にはみ出るように転写することが望ましい。
【００４８】
【表２】
2008310038.tif 000004
【００４９】
この表２で示すように、本実施例の評価結果では、坪量が５０ｇｓｍの記録用紙Ｐまでは問題なく搬送することができた。また、坪量が５０ｇｓｍ未満の記録用紙Ｐでは、クリアトナーＬｔの転写量（転写数及び転写位置）により効果が有る場合と、無い場合とがあった。つまり、坪量が５０ｇｓｍよりも小さい記録用紙Ｐに対しては、その搬送方向最先端部６０に転写するクリアトナーＬｔの転写数（転写量）を多くすることで効果が得られることが判った。
【００５０】
これは、記録用紙Ｐの剥離形状と、記録用紙Ｐのコシの影響によるものであり、坪量が小さくなるほど記録用紙Ｐのコシが弱くなることによるものである。すなわち、坪量が５０ｇｓｍ未満の記録用紙Ｐでは、最先端部６０の一部で剥離が起こっても、コシが弱いために、その一部の領域でしか（局所的にしか）剥離しない場合があるのに対し、坪量が５０ｇｓｍ以上の記録用紙Ｐでは、最先端部６０の一部で剥離が起こると、コシが強いために、残りの部分も必ず続いて剥離されるからである。
【００５１】
そのため、坪量が５０ｇｓｍ以上の記録用紙Ｐでは、クリアトナーＬｔを転写する箇所（転写数）が少なくてよく、反対に坪量が５０ｇｓｍ未満の記録用紙Ｐでは、クリアトナーＬｔを転写する箇所（転写数）を多くする必要がある。何れにしても、記録用紙Ｐは、その最先端部６０が一度中間転写ベルト２４から剥離されれば、記録用紙Ｐのコシの影響により、残りの部分が中間転写ベルト２４から連続的に剥離されるので、クリアトナーＬｔにより、記録用紙Ｐの最先端部６０を中間転写ベルト２４から剥離させる構成にすることは極めて有効である。
【００５２】
また、このクリアトナーＬｔの転写量（転写数及び転写位置も含む）は、制御部３０に含まれる調整手段３１によって適宜調整可能に構成されている。つまり、調整手段３１に設けられたメモリー（図示省略）には、予め記録用紙Ｐの種類（例えば、普通紙、コート紙など）、サイズ（例えば、Ａ３、Ａ４、Ｂ４、Ｂ５など）、坪量（例えば、８０ｇｓｍ、７０ｇｓｍ、６０ｇｓｍ、５０ｇｓｍなど）毎に、適切なクリアトナーＬｔの転写量（転写数及び転写位置も含む）が記憶されている。
【００５３】
したがって、オペレーターが、図示しない操作パネルから、使用する記録用紙Ｐの種類、サイズ、坪量など（本発明では、これらを纏めて「種類」としている）を入力すると、上記メモリーから、適切なクリアトナーＬｔの転写量（転写数及び転写位置も含む）が読み出され、それに基づいて記録用紙ＰにクリアトナーＬｔが転写されるようになっている。よって、クリアトナーＬｔの無駄な消費量を低減することができる。
【００５４】
なお、中間転写ベルト２４から記録用紙Ｐへトナー像を転写した二次転写後の中間転写ベルト２４に対する記録用紙Ｐの貼り付き現象は、画像形成装置１０が設置されている環境、特に湿度によっても影響される。したがって、その湿度を、上記メモリーに記憶させるパラメーター（転写量を決める基準）として加えてもよい。
【００５５】
ここで、この調整手段３１による作用を具体的に説明すると、まず、湿度が画像形成装置１０に内蔵された湿度検出装置（図示省略）により検出される。そして、オペレーターが、操作パネルを操作して、記録用紙Ｐの種類を入力する。例えば、坪量４３ｇｓｍのＡ４サイズのコート紙と入力する。すると、調整手段３１のメモリーから、この場合の適切なクリアトナーＬｔの転写量（転写数及び転写位置も含む）が読み出される。
【００５６】
つまり、例えば、湿度５０％の環境下において、坪量４３ｇｓｍのＡ４サイズのコート紙を横送りで使用した場合には、コート紙は帯電しやすいので、その最先端部６０に転写されるクリアトナーＬｔの転写量は１ｃｍ（搬送方向）×２ｃｍ（搬送方向と直交する方向）のサイズで４．５ｇ／ｍ２、転写数は８個、それによる各クリアトナーＬｔの転写間隔（転写位置）は２ｃｍと読み出される。
【００５７】
これにより、記録用紙Ｐ（この場合はコート紙）の最先端部６０に転写するクリアトナーＬｔの転写量（転写数及び転写位置も含む）が決定され、画像形成ユニット１４Ｌにより、中間転写ベルト２４の所定位置（中間転写ベルト２４から記録用紙Ｐへ転写したときに、その最先端部６０から、クリアトナーＬｔの一部がはみ出るような位置）へ、そのクリアトナーＬｔが転写される。したがって、クリアトナーＬｔは、効率よく転写される。
【００５８】
以上、説明したように、本実施形態に係る画像形成装置１０では、記録用紙Ｐの最先端部６０にクリアトナーＬｔを転写する構成にしたので、記録用紙Ｐの最先端部６０の静電気力を低減することができる。したがって、坪量が小さい記録用紙Ｐを使用した場合でも、二次転写後の記録用紙Ｐが中間転写ベルト２４に貼り付くのを抑制することができる。つまり、二次転写後の記録用紙Ｐを中間転写ベルト２４に貼り付かせることなく、定着装置４０へ搬送することができる。
【図面の簡単な説明】
【００５９】
【図１】本実施形態に係る画像形成装置を示す概略構成図
【図２】記録用紙に対するクリアトナーの転写位置を模式的に示す概略平面図
【図３】二次転写部に搬送された記録用紙の様子を示す概略側面図
【図４】二次転写部に搬送された記録用紙の最先端部の様子を模式的に示す概略側面図
【図５】比較例の記録用紙に対するクリアトナーの転写位置を模式的に示す概略平面図
【符号の説明】
【００６０】
１０  画像形成装置
１２  画像形成手段
１４  画像形成ユニット
１６  感光体ドラム
２０  露光装置
２２  現像装置
２４  中間転写ベルト（中間転写体）
２６  一次転写ロール
２８  クリーニング装置
３０  制御部
３１  調整手段
３４  バックアップロール
３６  二次転写ロール（転写手段）
３８  トナー除去装置
４０  定着装置（定着手段）
４２  搬送機構（搬送手段）
６０  最先端部
Ｌｔ  クリアトナー（透明トナー）
Ｐ  記録用紙（記録媒体）
【図１】
2008310038.tif 000005
【図２】
2008310038.tif 000006
【図３】
2008310038.tif 000007
【図４】
2008310038.tif 000008
【図５】
2008310038.tif 000009